(57)【要約】【課題】録画されている放送番組を自動的に削除し、且つ、盛り上がりを見せた放送番組が削除され難い録画再生装置及びその制御方法を提供する。【解決手段】  本発明に係る録画再生装置は、放送番組を録画し、再生する録画再生装置であって、放送番組を記憶部に記録する記録手段と、前記記憶部に記録された放送番組を自動的に削除する削除手段と、を有し、前記削除手段は、前記記憶部に記録された複数の放送番組から、放送番組の音声信号または視聴率に基づいて、削除の対象となる放送番組を決定することを特徴とする。【選択図】図３
2010187206.tif 000002
【特許請求の範囲】
【請求項１】
放送番組を録画し、再生する録画再生装置であって、
放送番組を記憶部に記録する記録手段と、
前記記憶部に記録された放送番組を自動的に削除する削除手段と、
を有し、
前記削除手段は、前記記憶部に記録された複数の放送番組から、放送番組の音声信号または視聴率に基づいて、削除の対象となる放送番組を決定する
ことを特徴とする録画再生装置。
【請求項２】
前記削除手段は、音量レベルの最大値、音量レベルの平均値、視聴率の最大値、または、視聴率の平均値が所定の閾値以下の放送番組を削除の対象とする
ことを特徴とする請求項１に記載の録画再生装置。
【請求項３】
前記記録手段は、ユーザが放送番組の視聴を中断した後に、当該放送番組の記録を開始し、
前記削除手段は、前記放送番組の視聴中の所定期間と、前記放送番組を記録している記録期間とのそれぞれの期間における音声信号または視聴率を比較し、削除の対象となる放送番組を決定する
ことを特徴とする請求項１に記載の録画再生装置。
【請求項４】
前記所定期間は、ユーザが前記放送番組の視聴を開始してから当該放送番組の視聴を中断するまでの期間である
ことを特徴とする請求項３に記載の録画再生装置。
【請求項５】
前記所定期間は、ユーザが前記放送番組の視聴を中断した時刻から所定時間前までの期間である
ことを特徴とする請求項３に記載の録画再生装置。
【請求項６】
前記削除手段は、前記記録期間における音量レベルの最大値、音量レベルの平均値、視聴率の最大値、または、視聴率の平均値が、前記所定期間における値以下の放送番組を削除の対象とする
ことを特徴とする請求項３〜５のいずれか１項に記載の録画再生装置。
【請求項７】
前記削除手段は、放送番組のジャンルに応じて、前記削除の対象となる放送番組を音声信号に基づいて決定するか、視聴率に基づいて決定するかを選択する
ことを特徴とする請求項１〜６のいずれか１項に記載の録画再生装置。
【請求項８】
放送番組を録画し、再生する録画再生装置の制御方法であって、
放送番組を記憶部に記録するステップと、
前記記憶部に記録された放送番組を自動的に削除するステップと、
を有し、
前記放送番組を自動的に削除するステップでは、前記記憶部に記録された複数の放送番組から、放送番組の音声信号または視聴率に基づいて、削除の対象となる放送番組を決定する
ことを特徴とする録画再生装置の制御方法。
【発明の詳細な説明】
【技術分野】
【０００１】
本発明は、放送番組を録画し、再生する録画再生装置およびその制御方法に関する。
【背景技術】
【０００２】
近年、ユーザが予め設定した検索条件や履歴情報に基づいて放送番組を自動的に録画（自動録画）する装置が知られている。また、録画領域（録画された放送番組が蓄積される記憶装置の空き容量）が不足した場合に、録画された放送番組を自動的に削除する機能を有する装置がある。
【０００３】
例えば、特許文献１には、録画領域が不足した場合に、録画された放送番組を優先度にしたがって自動的に削除する装置が開示されている。特許文献１に開示されている装置では、放送番組の優先度を、放送番組のジャンル毎に設定したジャンル別優先度、放送番組を録画予約する際にユーザが入力する個別番組優先度、放送番組の蓄積開始または蓄積終了からの経過時間に基づいて算出する。
【０００４】
また、ユーザが視聴する放送番組を切り替えた場合、即ち、ユーザによりチャンネル（視聴する放送番組が放送されているチャンネル）の切り替えが行われた場合に、チャンネルの切り替え前に視聴していた放送番組を自動的に録画する技術が知られている。
【０００５】
例えば、特許文献２に開示されている装置は、放送番組を受信する複数のチューナを有する。そして、ユーザがチャンネルの切り替えを行った際に、切り替え前のチャンネルで放送されている放送番組を所定時間以上視聴していた場合には、チャンネルの切り替え後も当該放送番組を続けてキャッシュ録画する。
【０００６】
また、放送番組の音量レベルの変化や視聴率の変化を利用して放送番組の盛り上がりを検出し、ユーザに通知することで、放送番組内で盛り上がりを見せたシーンの見逃しを防止する技術が知られている。
【先行技術文献】
【特許文献】
【０００７】
【特許文献１】特開平０９−０７００２０号公報
【特許文献２】特開２００７−１８０８６１号公報
【発明の概要】
【発明が解決しようとする課題】
【０００８】
しかしながら、従来の技術では、録画領域の残量によっては、録画した放送番組をユーザが手動で削除する必要があり、ユーザが煩わしさを感じる可能性があった。また、ユーザが予期しないほどの盛り上がりを見せた放送番組が、録画されている他の放送番組よりも先に自動的に削除されてしまい、視聴出来なくなってしまう可能性があった。
【０００９】
例えば、特許文献１に開示されている装置では、ユーザが放送番組の盛り上がりを予想して優先度を設定する必要があるため、ユーザが予期しないほどの盛り上がりを見せた放送番組が先に削除されてしまう可能性がある。
【００１０】
また、特許文献２に開示されている装置は、放送番組を一時的に録画しているだけであるため、ユーザが予期しないほどの盛り上がりを見せた放送番組がチャンネルの切り替え中に削除され、視聴できなくなってしまう可能性がある。
【００１１】
そこで、本発明は、録画されている放送番組を自動的に削除し、且つ、盛り上がりを見せた放送番組が削除され難い録画再生装置及びその制御方法を提供することを目的とする。
【課題を解決するための手段】
【００１２】
上述した課題を解決するために、本発明に係る録画再生装置は、
放送番組を録画し、再生する録画再生装置であって、
放送番組を記憶部に記録する記録手段と、
前記記憶部に記録された放送番組を自動的に削除する削除手段と、
を有し、
前記削除手段は、前記記憶部に記録された複数の放送番組から、放送番組の音声信号または視聴率に基づいて、削除の対象となる放送番組を決定する
ことを特徴とする。
【００１３】
また、本発明に係る録画再生装置の制御方法は、
放送番組を録画し、再生する録画再生装置の制御方法であって、
放送番組を記憶部に記録するステップと、
前記記憶部に記録された放送番組を自動的に削除するステップと、
を有し、
前記放送番組を自動的に削除するステップでは、前記記憶部に記録された複数の放送番組から、放送番組の音声信号または視聴率に基づいて、削除の対象となる放送番組を決定する
ことを特徴とする。
【発明の効果】
【００１４】
本発明によれば、録画されている放送番組を自動的に削除し、且つ、盛り上がりを見せた放送番組が削除され難い録画再生装置及びその制御方法を提供することができる。
【図面の簡単な説明】
【００１５】
【図１】図１は、実施例１に係る録画再生装置と外部機器との接続の一例を示す図である。
【図２】図２は、実施例１に係る録画再生装置の内部構成を示すブロック図である。
【図３】図３は、実施例１に係る録画再生装置の機能ブロック図である。
【図４】図４は、番組情報管理部が記憶する番組情報の一例を示したものである。
【図５】図５は、番組の放送開始から終了までの音量レベルの変化の一例を、横軸を時刻、縦軸を音量レベルとして表したものである。
【図６】図６は、盛り上がり度算出要求を受信した際の、実施例１に係る盛り上がり度算出部の動作を表すフローチャートである。
【図７】図７は、自動削除判定要求を受信した際の、実施例１に係る自動削除判定部の動作を表すフローチャートである。
【図８】図８は、実施例２に係る録画再生装置と外部機器との接続の一例を示す図である。
【図９】図９は、実施例２に係る録画再生装置の内部構成を示すブロック図である。
【図１０】図１０は、実施例２に係る録画再生装置の機能ブロック図である。
【図１１】図１１は、番組の放送開始から終了までの視聴率の変化の一例を、横軸を時刻、縦軸を視聴率として表したものである。
【図１２】図１２は、盛り上がり度算出要求を受信した際の、実施例２に係る盛り上がり度算出部の動作を表すフローチャートである。
【図１３】図１３は、自動削除判定要求を受信した際の、実施例２に係る自動削除判定部の動作を表すフローチャートである。
【図１４】図１４は、削除の対象の決定方法の一例を示す図である。
【図１５】図１５は、実施例３に係る録画再生装置の内部構成を示すブロック図である。
【図１６】図１６は、実施例３に係る録画再生装置の機能ブロック図である。
【図１７】図１７は、放送番組の視聴期間および録画期間の一例を示す図である。
【図１８】図１８は、選局要求を受信した際の、実施例３に係る選局制御部の動作を表すフローチャートである。
【図１９】図１９は、選局要求を受信した際の、実施例３に係る選局制御部の動作を表すフローチャートである。
【図２０】図２０は、選局要求を受信した際の、実施例３に係る選局制御部の動作を表すフローチャートである。
【図２１】図２１は、選局要求を受信した際の、実施例３に係る選局制御部の動作を表すフローチャートである。
【図２２】図２２は、選局要求を受信した際の、実施例３に係る選局制御部の動作を表すフローチャートである。
【図２３】図２３は、選局要求を受信した際の、実施例３に係る選局制御部の動作を表すフローチャートである。
【図２４】図２４は、選局要求を受信した際の、実施例３に係る選局制御部の動作を表すフローチャートである。
【図２５】図２５は、再生要求を受信した際の、実施例３に係る録画再生制御部の動作を表すフローチャートである。
【図２６】図２６は、番組の放送開始から終了までの音量レベルの変化の一例を、横軸を時刻、縦軸を音量レベルとして表したものである。
【図２７】図２７は、基準値算出要求を受信した際の、実施例３に係る基準値算出部の動作を表すフローチャートである。
【図２８】図２８は、基準値算出要求を受信した際の、実施例３に係る基準値算出部の動作を表すフローチャートである。
【図２９】図２９は、自動削除判定要求を受信した際の、実施例３に係る自動削除判定部の動作を表すフローチャートである。
【発明を実施するための形態】
【００１６】
以下、本実施形態に係る録画再生装置の具体的な実施例について説明する。本実施形態に係る録画再生装置は、放送番組を録画し、再生する録画再生装置であって、放送番組を記憶部に記録する機能、及び、記録された放送番組を自動的に削除する機能を有する。
【００１７】
＜実施例１＞
まず、本発明の実施例１に係る録画再生装置について説明する。本実施例に係る録画再生装置は、放送番組の音声信号に基づいて、記録された複数の放送番組から削除の対象となる放送番組を決定する。
【００１８】
図１は、本発明の実施例１に係る録画再生装置と外部機器との接続の一例を示す図である。図１の例では、録画再生装置１はアンテナ２に接続され、図示しない放送局から放送波を受信する。ユーザはリモコン３を利用して、録画再生装置１に対して放送番組の自動録画や録画した放送番組の再生を要求（送信）する。放送番組の映像信号はモニタ４に出力され、モニタ４に映像が表示される。放送番組の音声信号はスピーカ５に出力され、スピーカ５から音声が出力される。
【００１９】
図２は、図１に記載した録画再生装置１の内部構成を示すブロック図である。
【００２０】
ＣＰＵ１１は、録画再生装置１が有する各構成ブロックを制御する。具体的には、録画再生装置１の内部状態や赤外線受光部１４から受け取った操作情報に基づいて、内部バス１８を介して各構成ブロックを制御する。また、デコーダ１３から出力される放送番組の音声信号に基づいて当該放送番組の盛り上がり度を算出し、算出結果に基づいて当該放送番組を自動的に削除するか否かを判定する。放送番組を自動的に削除すると判定した場合は、ＨＤＤ１６に記録した当該放送番組を削除する。なお、盛り上がり度とは、放送番組の盛り上がりの度合いを表す値である。
【００２１】
チューナ１２は、アンテナ２で受信された放送波から放送信号（放送番組）を取り出す処理を行う。具体的には、ＣＰＵ１１からの指示に応じて周波数を選局する。そして、その周波数に含まれる放送信号を抽出し、デコーダ１３へ出力する。チューナ１２は、例えば、一般的なデジタルテレビで用いられる地上デジタル放送用チューナやＢＳ／広帯域ＣＳデジタル放送用チューナを適用すればよい。
【００２２】
デコーダ１３は、チューナ１２で取り出された放送信号を解析して映像信号、音声信号、データ信号に分離し、符号化された映像信号および音声信号をデコードする。デコーダ１３は、デコードした映像信号および音声信号を映像音声出力回路１７へ出力し、データ信号に含まれる番組名や放送開始時刻等の番組情報をメモリ１５に記録する。また、デコーダ１３は、符号化された映像信号および音声信号をＨＤＤ１６に出力する。音声信号は盛り上がり度を算出するためにＣＰＵ１１へも出力される。
【００２３】
赤外線受光部１４は、ユーザがリモコン３を操作した際にリモコン３から送信される赤外線信号を受信し、ＣＰＵ１１へ当該操作を表す情報（操作情報）を送信する。なお、本実施例においては、リモコン３から赤外線により操作情報が送信される場合について説明するが、操作情報は他の無線技術（ブルートゥース（商標）、ＩＥＥＥ８０２．１１による無線ＬＡＮなど）により送信されてもよい。
【００２４】
メモリ１５は、ＣＰＵ１１及びその他の各構成ブロックが作成したデータを一時的に保存する。メモリ１５としては、例えば、録画再生装置１に電源が供給されている間のみデータを保持可能とするＳＲＡＭ（Ｓｔａｔｉｃ  Ｒａｎｄｏｍ  Ａｃｃｅｓｓ  Ｍｅｍｏｒｙ）やＤＲＡＭ（Ｄｙｎａｍｉｃ  Ｒａｎｄｏｍ  Ａｃｃｅｓｓ  Ｍｅｍｏｒｙ）を適用すればよい。また、電源供給が停止された状態であっても記録したデータを保持しつづけることが可能なフラッシュメモリやＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）メモリを適用してもよい。
【００２５】
ＨＤＤ１６は、デコーダ１３が出力する映像信号および音声信号を記録する。ＨＤＤ１６としてはハードディスクドライブが考えられるが、これに限らず映像信号および音声信号を記録できる十分な容量を持つ記憶媒体を適用すればよい。
【００２６】
映像音声出力回路１７は、デコーダ１３またはＨＤＤ１６より出力された映像信号を受信し、モニタ４に適したフォーマットに変換して出力する。また、映像音声出力回路１７は、デコーダ１３またはＨＤＤ１６より出力された音声信号を受信し、スピーカ５に適したフォーマットに変換して出力する。
【００２７】
内部バス１８は、録画再生装置１内の各構成ブロック間のデータの送受信に用いられる。
【００２８】
図３は、図１，２に記載した録画再生装置１の機能ブロック図である。
【００２９】
放送受信・再生部１００は、選局制御部３００から指示されたチャンネルを選局し、アンテナ２が受信した放送波から多重化された番組データ（放送信号）を取り出す。そして、多重化された番組データを映像信号、音声信号、データ信号に分離する。本実施例では、映像信号や音声信号等は、ＭＰＥＧ２（Ｍｏｖｉｎｇ  Ｐｉｃｔｕｒｅ  Ｅｘｐｅｒｔｓ  Ｇｒｏｕｐ  ２：カラー動画像符号化方式標準化グループの第２規格）トランスポート・ストリーム（Ｔｒａｎｓｐｏｒｔ  Ｓｔｒｅａｍ：ＴＳ）方式により多重化されているものとする。分離した映像信号および音声信号はＭＰＥＧ２方式により圧縮符号化されているため、放送受信・再生部１００は、それぞれを復号して出力制御部９００に出力する。放送受信・再生部１００は、分離したデータ信号から番組情報を抽出して番組情報管理部５００に出力する。番組情報は、放送番組（放送コンテンツ）の識別ＩＤや放送されるチャンネル、番組タイトル、放送開始日時、放送時間等であり、録画予約（自動録画）や盛り上がり度の算出等に用いられる。また、放送受信・再生部１００は、分離した映像信号および音声信号を圧縮符号化された状態で放送番組記録部６００に出力する。復号した音声信号を盛り上がり度算出部７００に出力する。
【００３０】
ユーザインタフェース部２００は、ユーザからの「チャンネルアップ」、「Ｃｈ．Ｘ選局（Ｘはチャンネル番号）」等の指示を受け取り、指示に従ったチャンネルを選局するために選局制御部３００に対して選局要求を出力する。また、ユーザから「自動録画のための条件（自動録画条件）の入力」、「録画番組の再生」等の指示を受け取り、指示に従った動作をするために録画再生制御部４００に録画予約要求や再生要求を出力する。なお、ユーザからの指示は、通常リモコンを介してなされ、「はい」「いいえ」等の選択肢を含んだ操作画面を伴うことがある。
【００３１】
選局制御部３００は、ユーザインタフェース部２００または録画再生制御部４００から受け取った選局要求に従って、選局チャンネル（選局要求に応じた周波数）を放送受信・再生部１００へ出力する。その際、放送受信・再生部１００が出力する映像信号をモニタ４へ、音声信号をスピーカ５へ出力するために、出力制御部９００に出力切替要求を出力する。
【００３２】
録画再生制御部４００は、ユーザインタフェース部２００から録画予約要求を受け取ると、自動録画条件と番組情報管理部５００から定期的に取得する番組情報に基づいて、録画予約する放送番組を決定する。録画再生制御部４００は、現在時刻が録画予約した放送番組の放送開始時刻に達すると、当該放送番組を録画するために、選局要求を選局制御部３００に、録画開始要求を放送番組記録部６００に出力する。そして、放送番組の盛り上がり度を算出するための盛り上がり度算出要求を盛り上がり度算出部７００に出力する。放送番組の放送が終了した場合等、放送番組の録画を終了する際は、録画終了要求を放送番組記録部６００に、盛り上がり度算出終了要求を盛り上がり度算出部７００に、自動削除判定要求を自動削除判定部８００にそれぞれ出力する。また、録画再生制御部４００は、ユーザインタフェース部２００から再生要求を受け取ると、当該要求に応じて、録画した放送番組を出力するための録画番組出力要求を放送番組記録部６００に出力する。その際、放送番組記録部６００が出力する映像信号をモニタ４へ、音声信号をスピーカ５へ出力するために、出力制御部９００に出力切替要求を出力する。なお、録画開始要求、録画終了要求、盛り上がり度算出要求、盛り上がり度算出終了要求、自動削除判定要求には対象となる放送番組を識別するための番組情報が含まれている。
【００３３】
番組情報管理部５００は、放送番組や放送予定番組に関する番組情報を記憶する。これらの番組情報は、放送受信・再生部１００により定期的に取得、更新される。また、番組情報管理部５００は、録画再生制御部４００からの要求に応じて番組情報を出力する。
【００３４】
放送番組記録部６００は、録画再生制御部４００から受け取った録画開始要求に応じて
、放送受信・再生部１００が出力する映像信号および音声信号を、番組情報と関連付けて録画（記録）する。そして、録画再生制御部４００から受け取った録画終了要求に応じて、映像信号および音声信号の録画を終了する。また、放送番組記録部６００は、録画再生制御部から受け取った録画番組出力要求に応じて、録画した放送番組の映像信号および音声信号をそれぞれ復号し、出力制御部９００に出力する。放送番組記録部６００は、自動削除判定部８００から受け取った削除要求に応じて、録画した放送番組を削除する。
【００３５】
盛り上がり度算出部７００は、録画再生制御部４００から受け取った盛り上がり度算出要求に応じて、放送受信・再生部１００から取得した音声信号に基づいて放送番組の盛り上がり度を算出する。また、録画再生制御部４００から受け取った盛り上がり度算出終了要求に応じて、盛り上がり度の算出を終了する。なお、本実施例では、放送番組中の音量レベルの最大値を盛り上がり度とする。
【００３６】
自動削除判定部８００は、録画再生制御部４００から自動削除判定要求を受け取ると、盛り上がり度算出部７００から取得した放送番組の盛り上がり度に基づいて、録画（記録）した放送番組を削除の対象とするか否か判定する。放送番組が削除の対象とされた場合は、放送番組記録部６００に対して、当該放送番組を削除するための削除要求を出力する。
【００３７】
出力制御部９００は、選局制御部３００または録画再生制御部４００から受け取った出力切替要求に従い、モニタ４へ出力する映像信号およびスピーカ５へ出力する音声信号を切り替える。
【００３８】
図４は、番組情報管理部５００が記憶する番組情報の一例を示したものである。
【００３９】
Ｔ００１は、識別ＩＤが「ＩＤ１」、チャンネルが「Ｃｈ．Ｘ」、番組名が「番組Ａ」という放送番組が、時刻「Ｔｃｓ１」から時刻「Ｔｃｅ１」まで放送されることを表す。Ｔ００２は、識別ＩＤが「ＩＤ２」、チャンネルが「Ｃｈ．Ｙ」、番組名が「番組Ｂ」という放送番組が、時刻「Ｔｃｓ２」から時刻「Ｔｃｅ２」まで放送されることを表す。Ｔ００３は、識別ＩＤが「ＩＤ３」、チャンネルが「Ｃｈ．Ｚ」、番組名が「番組Ｃ」という放送番組が、時刻「Ｔｃｓ１」から時刻「Ｔｃｅ１」まで放送されることを表す。Ｔ００４は、識別ＩＤが「ＩＤ４」、チャンネルが「Ｃｈ．Ｐ」、番組名が「番組Ｄ」という放送番組が、時刻「Ｔｃｓ２」から時刻「Ｔｃｅ２」まで放送されることを表す。Ｔ００５は、識別ＩＤが「ＩＤ５」、チャンネルが「Ｃｈ．Ｘ」、番組名が「番組Ｅ」という放送番組が、時刻「Ｔｃｓ３」から時刻「Ｔｃｅ３」まで放送されることを表す。Ｔ００６は、識別ＩＤが「ＩＤ６」、チャンネルが「Ｃｈ．Ｙ」、番組名が「番組Ｆ」という放送番組が、時刻「Ｔｃｓ４」から時刻「Ｔｃｅ４」まで放送されることを表す。
【００４０】
図５Ａ，図５Ｂは、番組の放送開始から終了までの音量レベルの変化の一例を、横軸を時刻、縦軸を音量レベルとして表したものである。また、音量レベルの値「Ｌｔｈ」は、盛り上がりがあるか否か判断するための閾値である。なお、閾値「Ｌｔｈ」は予め録画再生装置１に設定されているものとする。「番組Ａ」の音量レベルはＬ００１のように変化しており、時刻「Ｔｐ１」で最大値「Ｌｐ１」となる（図５Ａ）。最大値「Ｌｐ１」は閾値「Ｌｔｈ」より大きい。一方、「番組Ｅ」の音量レベルはＬ００２のように変化しており、時刻「Ｔｐ３」で最大値「Ｌｐ３」となる（図５Ｂ）。最大値「Ｌｐ３」は閾値「Ｌｔｈ」より小さい。本実施例では、音量レベルの最大値が「Ｌｔｈ」より大きい場合に、放送番組に盛り上がりが有るものとし、音量レベルの最大値が「Ｌｔｈ」以下の場合に、放送番組に盛り上がりが無いものとする。
【００４１】
図６は、録画再生制御部４００から盛り上がり度算出要求を受信した際の盛り上がり度
算出部７００の動作を表すフローチャートである。
【００４２】
録画再生制御部４００から盛り上がり度算出要求を受信すると、盛り上がり度算出部７００は当該放送番組に関する盛り上がり度を初期化する（Ｓ０６０１）。具体的には０を盛り上がり度とする。その後、盛り上がり度算出終了要求を受信するまで、Ｓ０６０３からＳ０６０６までの処理を繰り返す（Ｓ０６０２）。
【００４３】
まず、放送受信・再生部１００から取得した音声信号から音量レベルを取得する（Ｓ０６０３）。次に、取得した音量レベルが盛り上がり度より大きいか否かを確認する（Ｓ０６０４）。取得した音量レベルの方が盛り上がり度より大きい場合には（Ｓ０６０４：ＹＥＳ）、取得した音量レベルを盛り上がり度とする（Ｓ０６０５）。取得した音量レベルが盛り上がり度以下の場合には（Ｓ０６０４：ＮＯ）、盛り上がり度を更新しない。
【００４４】
そして、Ｓ０６０２に戻る（Ｓ０６０６）。Ｓ０６０３からＳ０６０６までの処理は、上述したように、盛り上がり度算出終了要求を受信するまで繰り返される。
【００４５】
盛り上がり度算出終了要求を受信すると、盛り上がり度算出要求に含まれる番組情報と盛り上がり度とを関連付けて保存する（Ｓ０６０７）。図５Ａの場合に上記処理を行うと、盛り上がり度はＬｐ１となり、図５Ｂの場合に上記処理を行うと、盛り上がり度はＬｐ３となる。
【００４６】
図７は、録画再生制御部４００から自動削除判定要求を受信した際の自動削除判定部８００の動作を表すフローチャートである。なお、図５Ａ，図５Ｂの場合について自動削除判定処理を説明する。
【００４７】
録画再生制御部４００から自動削除判定要求を受信すると、自動削除判定部８００は盛り上がり度算出部７００から対象となる放送番組の盛り上がり度を取得し（Ｓ０７０１）、盛り上がり度が閾値「Ｌｔｈ」より大きいか否かを確認する（Ｓ０７０２）。図５Ａの場合、盛り上がり度「Ｌｐ１」は閾値「Ｌｔｈ」より大きいため、Ｓ０７０２のＹＥＳに該当し、自動削除判定処理を終了する。一方、図５Ｂの場合、盛り上がり度「Ｌｐ３」は閾値「Ｌｔｈ」以下であるため、Ｓ０７０２のＮＯに該当し、放送番組記録部６００に対して「番組Ｅ」の削除要求を出力する（Ｓ０７０３）。
【００４８】
このように、本実施例では、ユーザが入力した条件に合致する放送番組を自動的に録画する際に、当該放送番組の音声信号に基づいて盛り上がり度を算出する。そして、盛り上がり度が閾値に満たなかった場合に当該放送番組を自動的に削除する。これにより、ユーザが期待するほど盛り上がりを見せなかった放送番組を手動で削除する煩わしさを解消することができる。また、自動的に録画した複数の放送番組のうち、盛り上がりを見せた放送番組は保存されるため、ユーザが盛り上がりを見せた放送番組を見逃す可能性を減少させることができる。
【００４９】
なお、本実施例では、図３の各機能を実現するために図２の構成を採用した。具体的には、放送受信・再生部１００は、チューナ１２とデコーダ１３に対応する。ユーザインタフェース部２００は、赤外線受光部１４に対応する。番組情報管理部５００は、メモリ１５に対応する。放送番組記録部６００は、ＨＤＤ１６に対応する。出力制御部９００は、映像音声出力回路１７に対応する。選局制御部３００、録画再生制御部４００、盛り上がり度算出部７００、及び、自動削除判定部８００は、ＣＰＵ１１に対応する。しかし、本実施例に係る録画再生装置の構成は図２の構成に限らない。例えば、選局制御部３００、録画再生制御部４００、盛り上がり度算出部７００、及び、自動削除判定部８００は、それぞれ個別の制御回路により構成されてもよい。
【００５０】
なお、本実施例では音量レベルの閾値が予め録画再生装置１に設定されている場合について説明したが、閾値はユーザによって適宜設定可能であってもよい。
【００５１】
また、本実施例では、録画した放送番組の音量レベルの最大値が閾値以下の放送番組を盛り上がりが無い放送番組とし、削除の対象としたが、音量レベルの平均値が閾値以下の放送番組を削除の対象としてもよい。
【００５２】
なお、本実施例では、削除の対象とするか否かを音声信号の音量レベルに基づいて判断したが、これに限らない。音声信号に基づいて判断すれば、どのように判断してもよい。例えば、音声信号の波形に基づいて盛り上がりがあるか否かを判断してもよい。そして、盛り上がりの無い放送番組を削除の対象とすればよい。音声信号の波形に基づいて盛り上がり度を算出してもよい。
【００５３】
また、本実施例では、録画した放送番組が期待するほど盛り上がりを見せなかった場合に即座に削除するような構成としたが、即座に削除しない構成であっても良い。例えば、自動削除判定部８００が放送番組記録部６００から定期的に録画容量（録画領域）を取得し、録画容量が所定の値を下回った場合に、盛り上がり度の低い放送番組（削除の対象とされた放送番組）を優先的に削除するようにしても良い。録画されている全ての放送番組の盛り上がり度が閾値より大きい場合には、録画日時の早い放送番組や盛り上がり度の低い放送番組から順に削除すればよい。また、削除の対象とされた放送番組のうち、特定のジャンルの放送番組を優先的に削除するような構成であっても良い。もちろん、記録された放送番組が視聴されたか否か、記録してからの経過時間等に基づいて削除の優先度を決定してもよい。
【００５４】
例えば、ユーザが録画した放送番組を視聴した場合には、ユーザが当該放送番組に興味がある可能性が高い。そのため、そのような場合には当該放送番組を削除しないようにしても良い。また、録画中の放送番組を放送受信・再生部１００の出力または放送番組記録部６００の出力で視聴している間だけ、当該放送番組を削除しないようにしても良い。
【００５５】
＜実施例２＞
次に、本発明の実施例２に係る録画再生装置について説明する。本実施例に係る録画再生装置は、放送番組の視聴率に基づいて、記録された複数の放送番組から削除の対象となる放送番組を決定する。具体的には、インターネットに接続された視聴率管理サーバから取得する放送番組の視聴率に基づいて盛り上がり度を算出する。なお、実施例１と重複する部分については説明を省略する。
【００５６】
図８は、本発明の実施例２に係る録画再生装置と外部機器との接続の一例を示す図である。図８の例では、録画再生装置１はインターネット６に接続され、インターネット６に接続されている視聴率管理サーバ７から放送番組の視聴率を取得する。具体的には、時刻毎の瞬間視聴率を取得する。
【００５７】
視聴率管理サーバ７は、放送番組の視聴率をリアルタイムに算出しており、録画再生装置１からの要求により、指定した放送番組の視聴率を出力する。
【００５８】
図９は、図８に記載した録画再生装置１の内部構成を示すブロック図である。
【００５９】
ＣＰＵ１１１は、図２のＣＰＵ１１の機能の他に、ネットワークインタフェース１９に対して、視聴率取得要求を出力する機能を有する。具体的には、視聴率管理サーバ７から放送番組の視聴率を取得するためのデータ（視聴率取得データ）の送信を指示する。また
、ネットワークインタフェース１９から取得した視聴率に基づいて放送番組の盛り上がり度を算出し、算出結果に基づいて当該放送番組を自動的に削除するか否かを判定する。
【００６０】
ネットワークインタフェース１９は、ＣＰＵ１１１より視聴率取得データの送信が指示されると、視聴率取得データを、インターネット６を介して視聴率管理サーバ７に出力する。また、インターネット６を介して視聴率管理サーバ７から視聴率を受信すると、受信した視聴率をＣＰＵ１１１へ出力する。
【００６１】
図１０は、図８，９に記載した録画再生装置１の機能ブロック図である。
【００６２】
盛り上がり度算出部７１０は、録画再生制御部４００から受け取った盛り上がり度算出要求に応じて、視聴率受信部１０１０に対して定期的に視聴率取得要求を出力する。そして、視聴率受信部１０１０から取得した視聴率に基づいて放送番組の盛り上がり度を算出する。また、録画再生制御部４００から受け取った盛り上がり度算出終了要求に応じて、盛り上がり度の算出を終了する。なお、視聴率取得要求には、盛り上がり度の算出の対象となる放送番組を識別するための番組情報や時刻情報が含まれており、盛り上がり度算出部７１０は、指定した時刻における放送番組の視聴率を要求することができる。なお、本実施例では、放送番組中の視聴率の最大値を盛り上がり度とする。
【００６３】
自動削除判定部８１０は、録画再生制御部４００から自動削除判定要求を受け取ると、盛り上がり度算出部７１０から取得した放送番組の盛り上がり度に基づいて、録画した放送番組を削除の対象とするか否か判定する。放送番組が削除の対象とされた場合は、放送番組記録部６００に対して、当該放送番組を削除するための削除要求を出力する。
【００６４】
視聴率受信部１０１０は、盛り上がり度算出部７１０から受け取った視聴率取得要求に応じて、インターネット６に接続された視聴率管理サーバ７から放送番組の視聴率を取得し、取得した視聴率を盛り上がり度算出部７１０に出力する。
【００６５】
図１１Ａ，図１１Ｂは、番組の放送開始から終了までの視聴率の変化の一例を、横軸を時刻、縦軸を視聴率として表したものである。また、視聴率の値「Ｒｔｈ」は、盛り上がりがあるか否かを判断するための閾値である。なお、閾値「Ｒｔｈ」は予め録画再生装置１に設定されているものとする。「番組Ａ」の視聴率はＲ００１のように変化しており、時刻「Ｔｐ１」で最大値「Ｒｐ１」となる（図１１Ａ）。最大値「Ｒｐ１」は閾値「Ｒｔｈ」より大きい。一方、「番組Ｅ」の視聴率はＲ００２のように変化しており、時刻「Ｔｐ３」で最大値「Ｒｐ３」となる（図１１Ｂ）。最大値「Ｒｐ３」は閾値「Ｒｔｈ」より小さい。本実施例では、視聴率の最大値が「Ｒｔｈ」より大きい場合に、放送番組に盛り上がりがあるものとし、視聴率の最大値が「Ｒｔｈ」以下の場合に、放送番組に盛り上がりが無いものとする。
【００６６】
図１２は、録画再生制御部４００から盛り上がり度算出要求を受信した際の盛り上がり度算出部７１０の動作を表すフローチャートである。
【００６７】
録画再生制御部４００から盛り上がり度算出要求を受信すると、盛り上がり度算出部７１０は当該放送番組に関する盛り上がり度を初期化する（Ｓ１２０１）。具体的には、０を盛り上がり度とする。その後、盛り上がり度算出終了要求を受信するまでＳ１２０３からＳ１２０６までの処理を繰り返す（Ｓ１２０２）。
【００６８】
まず、視聴率受信部１０１０に対して視聴率取得要求を出力し、対象となる放送番組の処理時刻（処理を行う時点での時刻）における視聴率を取得する（Ｓ１２０３）。次に、取得した視聴率が盛り上がり度より大きいか否かを確認する（Ｓ１２０４）。取得した視
聴率の方が盛り上がり度より大きい場合には（Ｓ１２０４：ＹＥＳ）、取得した視聴率を盛り上がり度とする（Ｓ１２０５）。取得した視聴率が盛り上がり度以下の場合には（Ｓ１２０４：ＮＯ）、盛り上がり度を更新しない。
【００６９】
そして、Ｓ１２０２に戻る（Ｓ１２０６）。Ｓ１２０３からＳ１２０６までの処理は、上述したように、盛り上がり度算出終了要求を受信するまで繰り返される。
【００７０】
盛り上がり度算出終了要求を受信すると、盛り上がり度算出要求に含まれる番組情報と盛り上がり度とを関連付けて保存する（Ｓ１２０７）。図１１Ａの場合に上記処理を行うと、盛り上がり度はＲｐ１となり、図１１Ｂの場合に上記処理を行うと、盛り上がり度はＲｐ３となる。
【００７１】
図１３は、録画再生制御部４００から自動削除判定要求を受信した際の自動削除判定部８１０の動作を表すフローチャートである。なお、図１１Ａ，図１１Ｂの場合について自動削除判定処理を説明する。
【００７２】
録画再生制御部４００から自動削除判定要求を受信すると、自動削除判定部８１０は盛り上がり度算出部７１０から対象となる放送番組の盛り上がり度を取得し（Ｓ１３０１）、盛り上がり度が閾値「Ｒｔｈ」より大きいか否かを確認する（Ｓ１３０２）。図１１Ａの場合、盛り上がり度「Ｒｐ１」は閾値「Ｒｔｈ」より大きいため、Ｓ１３０２のＹＥＳに該当し、自動削除判定処理を終了する。一方、図１１Ｂの場合、盛り上がり度「Ｒｐ３」は閾値「Ｒｔｈ」以下であるため、Ｓ１３０２のＮＯに該当し、放送番組記録部６００に対して「番組Ｅ」の削除要求を出力する（Ｓ１３０３）。
【００７３】
このように、本実施例では、ユーザが入力した条件に合致する放送番組を自動的に録画する際に、当該放送番組の視聴率に基づいて盛り上がり度を算出する。そして、盛り上がり度が閾値に満たなかった場合に当該放送番組を自動的に削除する。これにより、ユーザが期待するほど盛り上がりを見せなかった放送番組を手動で削除する煩わしさを解消することができる。また、自動的に録画した複数の放送番組のうち、盛り上がりを見せた放送番組は保存されるため、ユーザが盛り上がりを見せた放送番組を見逃す可能性を減少させることができる。
【００７４】
なお、本実施例では、図１０の各機能を実現するために図９の構成を採用した。具体的には、視聴率受信部１０１０は、ネットワークインタフェース１９に対応する。しかし、本実施例に係る録画再生装置の構成は図２の構成に限らない。
【００７５】
なお、本実施例では視聴率の閾値が予め録画再生装置１に設定されている場合について説明したが、閾値はユーザによって適宜設定可能であってもよい。
【００７６】
また、本実施例では、録画した放送番組の視聴率の最大値が閾値以下の放送番組を盛り上がりが無い放送番組とし、削除の対象としたが、視聴率の平均値が閾値以下の放送番組を削除の対象としてもよい。
【００７７】
また、削除の対象となる放送番組を音声信号に基づいて決定するか、視聴率に基づいて決定するかを、対象とする放送番組の番組情報に基づいて選択するような構成であってもよい。例えば、盛り上がり度を音声信号に基づいて算出するか、視聴率に基づいて算出するかを、対象とする放送番組の番組情報に基づいて選択するような構成であってもよい。
【００７８】
例えば、削除の対象となる放送番組を音声信号に基づいて決定するか、視聴率に基づいて決定するかを、図１４に示すように、放送番組のジャンルに応じて選択してもよい。図
１４の例では、放送番組のジャンルが「ドラマ」である場合に、視聴率に基づいて当該放送番組を削除の対象とするか否かが判定される。放送番組のジャンルが「バラエティ」、「スポーツ」である場合には、音声信号に基づいて当該放送番組を削除の対象とするか否かが判定される。
【００７９】
なお、図１４は、削除の対象となる放送番組を音声信号に基づいて決定するか、視聴率に基づいて決定するかを、放送番組のジャンルに応じて選択する場合の例であるが、番組情報に含まれる他の情報に応じて選択してもよい。複数の情報に基づいて選択してもよい。他の情報としては、例えば、ライブ放送か否か、再放送か否かなどである。
【００８０】
また、本実施例ではインターネットに接続した視聴率管理サーバから直接、視聴率を取得するものとしたが、家庭内のＰＣを介して取得してもよい。視聴率を取得できればどのような構成であってもよい。
【００８１】
＜実施例３＞
次に、本発明の実施例３に係る録画再生装置について説明する。本実施例に係る録画再生装置は、ユーザが放送番組の視聴を中断した後に、当該放送番組の記録を開始する。そして、当該放送番組の視聴中の所定期間と、当該放送番組を記録している記録期間とのそれぞれの期間における音声信号または視聴率を比較し、削除の対象となる放送番組を決定する。なお、実施例１または２と重複する部分については説明を省略する。なお、以下では音声信号に基づいて削除の対象となる放送番組を決定する場合について説明する。
【００８２】
図１５は、実施例３に係る録画再生装置１の内部構成を示すブロック図である。
【００８３】
ＣＰＵ１１２は、図２のＣＰＵ１１の機能の他に、チューナ１２’及びデコーダ１３’を制御する機能を有する。また、デコーダ１３’から出力される放送番組の音声信号に基づいて当該放送番組の盛り上がり度を算出し、算出結果に基づいて当該放送番組を自動的に削除するか否かを判定する。
【００８４】
チューナ１２’は、チューナ１２と同様の機能を持ち、放送信号を抽出してデコーダ１３’へ出力する。
【００８５】
デコーダ１３’は、デコーダ１３と同様の機能を持つ。具体的には、デコードした映像信号および音声信号を映像音声出力回路１７２へ出力し、データに含まれる番組名や放送開始時刻等の番組情報をメモリ１５に記録する。デコーダ１３’は、符号化された映像信号および音声信号をＨＤＤ１６に出力する。音声信号は盛り上がり度を算出するためにＣＰＵ１１２へも出力される。
【００８６】
映像音声出力回路１７２は、図２の映像音声出力回路１７の機能の他に、デコーダ１３’より出力された映像信号を受信し、モニタ４に適したフォーマットに変換して出力する機能を有する。また、映像音声出力回路１７２は、デコーダ１３’より出力された音声信号を受信し、スピーカ５に適したフォーマットに変換して出力する。
【００８７】
図１６は、図１５に記載した録画再生装置１の機能ブロック図である。
【００８８】
放送受信・再生部１２０および放送受信・再生部１２０’は、それぞれ、図３の放送受信・再生部１００の機能の他に、復号した音声信号を基準値算出部１１２０に出力する機能を有する。
【００８９】
選局制御部３２０は、ユーザインタフェース部２００から選局要求を受け取ると、放送
受信・再生部１２０または放送受信・再生部１２０’のいずれかを選択する。そして、選局要求に応じた選局チャンネルを選択した放送受信・再生部へ出力する。その際、選択された放送受信・再生部が出力する映像信号をモニタ４へ、音声信号をスピーカ５へ出力するために、出力制御部９００に出力切替要求を出力する。また、選局制御部３２０は、どちらの放送受信・再生部から映像信号と音声信号が出力されているか、即ち、どちらの放送受信・再生部を選択したのかを表す出力元情報と、選局時刻（選局が行われた時刻）とを記憶する。また、選局制御部３２０は、放送番組の視聴中の盛り上がり度（基準値）を算出するための基準値算出要求を基準値算出部１１２０に出力する。選局制御部３２０は、基準値の算出を終了するために、基準値算出終了要求を基準値算出部１１２０に出力する。
【００９０】
さらに、選局制御部３２０は、録画再生制御部４２０に対して放送受信・再生部１２０または放送受信・再生部１２０’から出力される映像信号および音声信号を録画するための録画要求を録画再生制御部４２０に出力する。また、録画を中止するために、録画中止要求を録画再生制御部４２０に出力する。
【００９１】
録画再生制御部４２０は、選局制御部３２０から受信した録画要求と番組情報管理部５２０から取得した番組情報に基づいて、録画する放送番組を決定する。そして、録画開始要求を放送番組記録部６２０に出力する。その際、放送番組の録画中の盛り上がり度を算出するために、盛り上がり度算出要求を盛り上がり度算出部７００に出力する。録画中の放送番組が終了した場合や選局制御部３２０から録画中止要求を受信した場合等、放送番組の録画を中止する場合には、録画終了要求、盛り上がり度算出終了要求、自動削除判定要求を出力する。具体的には、録画終了要求を放送番組記録部６２０に、盛り上がり度算出終了要求を盛り上がり度算出部７００に、自動削除判定要求を自動削除判定部８２０にそれぞれ出力する。また、録画再生制御部４２０は、ユーザインタフェース部２００から受け取った再生要求に応じて、録画した放送番組を出力するための録画番組出力要求を放送番組記録部６２０に出力する。その際、放送番組記録部６２０が出力する映像信号をモニタ４へ、音声信号をスピーカ５へ出力するために、出力制御部９００に出力切替要求を出力する。また、録画再生制御部４２０は、選局制御部３２０からの要求に応じて、どちらの放送受信・再生部を用いて録画を行っているか、録画中の放送番組を再生しているか否か等の録画再生状態を出力する。なお、録画開始要求、録画終了要求、盛り上がり度算出要求、盛り上がり度算出終了要求、自動削除判定要求には対象となる放送番組を識別するための番組情報が含まれている。
【００９２】
番組情報管理部５２０は、放送番組や放送予定番組に関する番組情報を記憶する。これらの番組情報は、放送受信・再生部１２０および放送受信・再生部１２０’により定期的に取得、更新される。また、番組情報管理部５２０は、選局制御部３２０、録画再生制御部４２０および基準値算出部１１２０からの要求に応じて番組情報を出力する。
【００９３】
放送番組記録部６２０は、図３の放送番組記録部６００の機能の他に、放送受信・再生部１２０や放送受信・再生部１２０’が出力する映像信号および音声信号を、番組情報と関連付けて記録する機能を有する。
【００９４】
自動削除判定部８２０は、録画再生制御部４２０から自動削除判定要求を受け取ると、録画した放送番組を削除の対象とするか否か判定する。具体的には、録画した放送信号について、基準値算出部１１２０から取得した基準値と、盛り上がり度算出部７００から取得した盛り上がり度とを比較して、削除の対象とするか否かを判定する。放送番組が削除の対象とされた場合は、放送番組記録部６２０に対して、録画した放送番組を削除するための削除要求を出力する。
【００９５】
基準値算出部１１２０は、選局制御部３２０から基準値算出要求を受け取ると、視聴中の放送番組の音声信号に基づいて放送番組の盛り上がり度を算出する。そして、基準値の算出を行った時間を基準値算出時間として記憶し、算出した盛り上がり度を基準値として記憶する。また、選局制御部３２０から受け取った基準値算出終了要求に応じて、基準値の算出を終了する。
【００９６】
図１７は、放送番組の視聴期間および録画期間（記録期間）の一例を示す図である。図中、黒く塗りつぶした部分は放送番組の視聴期間、斜線部は放送番組の録画期間、破線で囲まれた部分は、視聴も録画もしていない期間を表す。
【００９７】
図１７中の（ａ）は、時刻「Ｔｖｓ１」にユーザが録画再生装置１を起動し、チャンネル「Ｃｈ．Ｘ」で放送中の「番組Ａ」の視聴を開始したことを表す。図１７中の（ｂ）は、（ａ）の後、時刻「Ｔｖｅ１」にユーザがチャンネルを「Ｃｈ．Ｙ」に切り替え、「番組Ｂ」の視聴を開始したことを表す。図１７中の（ｃ）は、（ｂ）の後、時刻「Ｔｒｓ１」にユーザが録画中の「番組Ａ」の視聴（再生）を開始したことを表す。図１７中の（ｄ）は、（ｃ）の後、時刻「Ｔｖｓ２」にユーザがチャンネルを「Ｃｈ．Ｚ」に切り替え、「番組Ｃ」の視聴を開始したことを表す。図１７中の（ｄ’）は、（ｃ）の後、時刻「Ｔｖｓ２’」にユーザがチャンネルを「Ｃｈ．Ｐ」に切り替え、「番組Ｄ」の視聴を開始したことを表す。図１７中の（ｅ）は、（ｂ）の後、時刻「Ｔｖｅ２」にユーザがチャンネルを「Ｃｈ．Ｚ」に切り替え、「番組Ｃ」の視聴を開始したことを表す。図１７中の（ｆ）は、（ｅ）の後、時刻「Ｔｖｅ３」にユーザがチャンネルを「Ｃｈ．Ｐ」に切り替え、「番組Ｄ」の視聴を開始したことを表す。
【００９８】
以下、ユーザインタフェース部２００から選局要求を受信した際の選局制御部３２０の動作について説明する。図１８〜２４は、ユーザインタフェース部２００から選局要求を受信した際の選局制御部３２０の動作を表すフローチャートである。なお、図中で視聴期間の長さ（視聴時間）と比較される値「Ｔｌ」は、ユーザの選局操作がチャンネルの切り替えを小刻みに行っているか否か、即ち、チャンネルの切り替えがザッピングによるものか否かを判定するための閾値である。本実施例では、当該閾値は予め録画再生装置１内に定めてあるものとするが、当該閾値はユーザよって設定・変更可能であってもよい。
【００９９】
まず、図１７中の（ａ）の操作が行われた場合の動作について説明する。
【０１００】
ユーザインタフェース部２００からチャンネル「Ｃｈ．Ｘ」への選局要求を受信すると、選局制御部３２０は、録画再生制御部４２０から録画再生状態を取得する（Ｓ１８０１）。
【０１０１】
次に、取得した録画再生状態から、放送受信・再生部１２０が出力する放送番組（第１放送番組）を録画しながら再生しているか否かを確認する（Ｓ１８０２）。時刻「Ｔｖｓ１」では、録画再生制御部４２０は放送番組の録画も再生も行っていないため（Ｓ１８０２：ＮＯ）、Ｓ１８０３へ進む。
【０１０２】
Ｓ１８０３では、取得した録画再生状態から、放送受信・再生部１２０’が出力する放送番組（第２放送番組）を録画しながら再生しているか否かを確認する。時刻「Ｔｖｓ１」では、Ｓ１８０３のＮＯに該当するため、Ｓ１８０４へ進む。
【０１０３】
Ｓ１８０４では、録画再生状態と出力元情報から放送受信・再生部１２０が出力する放送番組を視聴しているか否か確認する。時刻「Ｔｖｓ１」では、まだ放送番組の視聴は行っていないため（Ｓ１８０４：ＮＯ）、Ｓ１８２１へ進む。
【０１０４】
Ｓ１８２１では、録画再生状態、出力元情報、選局時刻、現在時刻「Ｔｖｓ１」、番組情報から放送受信・再生部１２０’が出力する放送番組の視聴時間を算出する。ただし、この時点では、放送番組の視聴を行っていないため、視聴時間は０となる。
【０１０５】
次に、録画再生状態から、放送受信・再生部１２０が出力する放送番組が録画中か否か確認する（Ｓ１８２２）。この時点で、放送番組の録画は行われていないため（Ｓ１８２２：ＮＯ）、Ｓ１８２３へ進む。
【０１０６】
Ｓ１８２３では、放送受信・再生部１２０に対して選局チャンネル「Ｃｈ．Ｘ」を出力する。この際、選局時刻として時刻「Ｔｖｓ１」を、選局チャンネル「Ｃｈ．Ｘ」とともに記憶する。
【０１０７】
次に、出力制御部９００に対して、放送受信・再生部１２０からの映像信号および音声信号を出力するための出力切替要求を出力する（Ｓ１８２４）。この際、出力元情報として「放送受信・再生部１２０」を記憶する。
【０１０８】
そして、Ｓ１８２１で算出した視聴時間と「Ｔｌ」とを比較する（Ｓ１８２５）。ここで、算出された視聴時間は０であるので、基準値算出部１１２０に対して放送受信・再生部１２０が出力する「番組Ａ」の基準値算出要求を出力する（Ｓ１８２８）。
【０１０９】
次に、録画に用いられている放送受信・再生部に対して選局チャンネルを出力したか否かを確認する（Ｓ１８１３）。この時点では、録画は行われていないため、Ｓ１８１３のＮＯに該当し、処理を終了する。
【０１１０】
次に、図１７中の（ｂ）の操作が行われた場合の動作について説明する。なお、時刻「Ｔｖｓ１」から時刻「Ｔｖｅ１」までの時間は「Ｔｌ」より長いものとする。
【０１１１】
ユーザインタフェース部２００からチャンネル「Ｃｈ．Ｙ」への選局要求を受信すると、選局制御部３２０は、録画再生制御部４２０から録画再生状態を取得する（Ｓ１８０１）。
【０１１２】
次に、取得した録画再生状態から、放送受信・再生部１２０または放送受信・再生部１２０’が出力する放送番組を録画しながら再生しているか否かを確認する（Ｓ１８０２、Ｓ１８０３）。時刻「Ｔｖｅ１」では、図１７中の（ａ）の場合と同様に、放送番組の録画も再生も行っていないため（Ｓ１８０２：ＮＯ、Ｓ１８０３：ＮＯ）、Ｓ１８０４へ進む。
【０１１３】
Ｓ１８０４では、録画再生状態と出力元情報から放送受信・再生部１２０が出力する放送番組を視聴しているか否か確認する。時刻「Ｔｖｅ１」では、放送受信・再生部１２０が出力する「番組Ａ」を視聴しているため（Ｓ１８０４：ＹＥＳ）、Ｓ１８０５へ進む。
【０１１４】
Ｓ１８０５では、録画再生状態、出力元情報、選局時刻、現在時刻「Ｔｖｅ１」、番組情報から放送受信・再生部１２０が出力する放送番組の視聴時間「Ｔｖｅ１−Ｔｖｓ１」を算出する。
【０１１５】
次に、録画再生状態から、放送受信・再生部１２０’が出力する放送番組を録画中か否か確認する（Ｓ１８０６）。この時点で、放送番組の録画は行われていないため（Ｓ１８０６：ＮＯ）、Ｓ１８０７へ進む。
【０１１６】
Ｓ１８０７では、放送受信・再生部１２０’に対して選局チャンネル「Ｃｈ．Ｙ」を出
力する（Ｓ１８０７）。この際、選局時刻として時刻「Ｔｖｅ１」を、選局チャンネル「Ｃｈ．Ｙ」とともに記憶する。
【０１１７】
次に、出力制御部９００に対して、放送受信・再生部１２０’からの映像信号および音声信号を出力するための出力切替要求を出力する（Ｓ１８０８）。この際、出力元情報として「放送受信・再生部１２０’」を記憶する。
【０１１８】
そして、Ｓ１８０５で算出した視聴時間と「Ｔｌ」とを比較する（Ｓ１８０９）。ここで、算出された視聴時間は「Ｔｖｅ１−Ｔｖｓ１」であり、この値は前述の通り「Ｔｌ」以上である。そのため、基準値算出部１１２０に対して放送受信・再生部１２０が出力する「番組Ａ」の基準値算出終了要求を出力し、録画再生制御部４２０に対して放送受信・再生部１２０が出力する「番組Ａ」の録画要求を出力する（Ｓ１８１１）。それにより「番組Ａ」の録画及び盛り上がり度の算出が開始される。
【０１１９】
次に、基準値算出部１１２０に対して放送受信・再生部１２０’が出力する「番組Ｂ」の基準値算出要求を出力する（Ｓ１８１２）。
【０１２０】
そして、録画に用いられている放送受信・再生部に対して選局チャンネルを出力したか否かを確認する（Ｓ１８１３）。ここでは、録画を行っていない放送受信・再生部１２０’に対して選局チャンネルを出力するため、Ｓ１８１３のＮＯに該当し、処理を終了する。
【０１２１】
なお、算出された視聴時間が０の場合、即ち、Ｔｖｅ１＝Ｔｖｓ１の場合には、Ｓ１８０９の次にＳ１８１２へ進む。また、Ｓ１８０９において、算出された視聴時間が０より長く、「Ｔｌ」より短い場合には、「番組Ａ」の視聴はザッピングによる可能性が高い。そのため、そのような場合には、基準値算出部１１２０に対して、放送受信・再生部１２０が出力する放送番組の基準値、即ち、「番組Ａ」の視聴中に算出された基準値をリセットする（０にする）ための基準値リセット要求を出力する（Ｓ１８１０）。そして、Ｓ１８１２へ進む。
【０１２２】
次に、図１７中の（ｄ）の操作が行われた場合の動作について説明する。
【０１２３】
ユーザインタフェース部２００からチャンネル「Ｃｈ．Ｚ」への選局要求を受信すると、選局制御部３２０は、録画再生制御部４２０から録画再生状態を取得する（Ｓ１８０１）。
【０１２４】
次に、取得した録画再生状態から、放送受信・再生部１２０が出力する放送番組を録画しながら再生しているか否かを確認する（Ｓ１８０２）。時刻「Ｔｖｓ２」では、放送受信・再生部１２０が出力する「番組Ａ」を録画中に再生しているため（Ｓ１８０２：ＹＥＳ）。Ｓ１８３８へ進む。
【０１２５】
Ｓ１８３８では、放送受信・再生部１２０’に対して選局チャンネル「Ｃｈ．Ｚ」を出力する。この際、選局時刻として時刻「Ｔｖｓ２」を、選局チャンネル「Ｃｈ．Ｚ」とともに記憶する。この時点で、放送受信・再生部１２０’は「番組Ｂ」の録画に用いられているため、録画再生制御部４２０に対して「番組Ｂ」の録画中止要求を出力する。それにより、「番組Ｂ」の録画及び盛り上がり度の算出が終了される。
【０１２６】
次に、出力制御部９００に対して、放送受信・再生部１２０’からの映像信号および音声信号を出力するための出力切替要求を出力する（Ｓ１８３９）。この際、出力元情報として「放送受信・再生部１２０’」を記憶する。
【０１２７】
そして、基準値算出部１１２０に対して放送受信・再生部１２０’が出力する「番組Ｃ」の基準値算出要求を出力し（Ｓ１８４０）、処理を終了する。
【０１２８】
なお、放送受信・再生部１２０が出力する放送番組を録画しながら再生する代わりに、放送受信・再生部１２０’が出力する放送番組を録画しながら再生していた場合には、Ｓ１８０２のＮＯ、Ｓ１８０３のＹＥＳに該当する。
【０１２９】
その場合には、放送受信・再生部１２０に対して選局チャンネル「Ｃｈ．Ｚ」を出力する（Ｓ１８３５）。この際、選局時刻として時刻「Ｔｖｓ２」を、選局チャンネル「Ｃｈ．Ｚ」とともに記憶する。また、その時点で、放送受信・再生部１２０は「番組Ａ」の録画に用いられているため、録画再生制御部４２０に対して「番組Ａ」の録画中止要求を出力する。
【０１３０】
次に、出力制御部９００に対して放送受信・再生部１２０からの映像信号および音声信号を出力するための出力切替要求を出力する（Ｓ１８３６）。この際、出力元情報として「放送受信・再生部１２０」を記憶する。
【０１３１】
そして、基準値算出部１１２０に対して放送受信・再生部１２０が出力する「番組Ｃ」の基準値算出要求を出力し（Ｓ１８３７）、処理を終了する。
【０１３２】
次に、図１７中の（ｄ’）の操作が行われた場合の動作について説明する。
【０１３３】
ユーザインタフェース部２００からチャンネル「Ｃｈ．Ｐ」への選局要求を受信すると、選局制御部３２０は、録画再生制御部４２０から録画再生状態を取得する（Ｓ１８０１）。
【０１３４】
次に、取得した録画再生状態から、放送受信・再生部１２０または放送受信・再生部１２０’が出力する放送番組を録画しながら再生しているか否かを確認する（Ｓ１８０２、Ｓ１８０３）。時刻「Ｔｖｓ２’」では、録画された「番組Ａ」を再生しているものの、録画は終了しているため（Ｓ１８０２：ＮＯ、Ｓ１８０３：ＮＯ）、Ｓ１８０４へ進む。
【０１３５】
Ｓ１８０４では、録画再生状態と出力元情報から放送受信・再生部１２０が出力する放送番組を視聴しているか否か確認する。時刻「Ｔｖｓ２’」では、録画された放送番組を再生しているため（Ｓ１８０４：ＮＯ）、Ｓ１８２１へ進む。
【０１３６】
Ｓ１８２１では、録画再生状態、出力元情報、選局時刻、現在時刻「Ｔｖｓ２’」、番組情報から放送受信・再生部１２０’が出力する放送番組の視聴時間を算出する。ただし、この時点では、録画された「番組Ａ」を再生しているため、視聴時間は０となる。
【０１３７】
次に、録画再生状態から、放送受信・再生部１２０が出力する放送番組が録画中か否か確認する（Ｓ１８２２）。この時点で、録画は終了しているため（Ｓ１８２２：ＮＯ）、Ｓ１８２３へ進む。
【０１３８】
Ｓ１８２３では、放送受信・再生部１２０に対して選局チャンネル「Ｃｈ．Ｐ」を出力する。この際、選局時刻として時刻「Ｔｖｓ２’」を、選局チャンネル「Ｃｈ．Ｐ」とともに記憶する。
【０１３９】
次に、出力制御部９００に対して、放送受信・再生部１２０からの映像信号および音声信号を出力するための出力切替要求を出力する（Ｓ１８２４）。この際、出力元情報とし
て「放送受信・再生部１２０」を記憶する。
【０１４０】
そして、Ｓ１８２１で算出した視聴時間と「Ｔｌ」とを比較する（Ｓ１８２５）。ここで、算出された視聴時間は０であるので、基準値算出部１１２０に対して放送受信・再生部１２０が出力する「番組Ｄ」の基準値算出要求を出力する（Ｓ１８２８）。
【０１４１】
次に、録画に用いられている放送受信・再生部に対して選局チャンネルを出力したか否かを確認する（Ｓ１８１３）。この時点では、録画は行われていないため、Ｓ１８１３のＮＯに該当し、処理を終了する。
【０１４２】
次に、図１７中の（ｅ）の操作が行われた場合の動作について説明する。なお、「番組Ｂ」の視聴時間「Ｔｖｅ２−Ｔｖｅ１」は「番組Ａ」の視聴時間「Ｔｖｅ１−Ｔｖｓ１」より長いものとする。
【０１４３】
ユーザインタフェース部２００からチャンネル「Ｃｈ．Ｚ」への選局要求を受信すると、選局制御部３２０は、録画再生制御部４２０から録画再生状態を取得する（Ｓ１８０１）。
【０１４４】
次に、取得した録画再生状態から、放送受信・再生部１２０または放送受信・再生部１２０’が出力する放送番組を録画しながら再生しているか否かを確認する（Ｓ１８０２、Ｓ１８０３）。「時刻Ｔｖｅ２」では、放送受信・再生部１２０が出力する「番組Ａ」を録画しているものの、再生は行っていないため（Ｓ１８０２：ＮＯ、Ｓ１８０３：ＮＯ）、Ｓ１８０４へ進む。
【０１４５】
Ｓ１８０４では、録画再生状態と出力元情報から放送受信・再生部１２０が出力する放送番組を視聴しているか否か確認する。「時刻Ｔｖｅ２」では、放送受信・再生部１２０’が出力する「番組Ｂ」を視聴しているため（Ｓ１８０４：ＮＯ）、Ｓ１８２１へ進む。
【０１４６】
Ｓ１８２１では、録画再生状態、出力元情報、選局時刻、現在時刻「Ｔｖｅ２」、番組情報から放送受信・再生部１２０’が出力する放送番組の視聴時間「Ｔｖｅ２−Ｔｖｅ１」を算出する。
【０１４７】
次に、録画再生状態から、放送受信・再生部１２０が出力する放送番組を録画中か否か確認する（Ｓ１８２２）。この時点で、放送受信・再生部１２０が出力する「番組Ａ」を録画しているため（Ｓ１８２２：ＹＥＳ）、Ｓ１８２９へ進む。
【０１４８】
Ｓ１８２９では、選局要求が、放送受信・再生部１２０で選局中のチャンネル（第１チャンネル）への選局要求か否かを確認する。ここで、選局要求はチャンネル「Ｃｈ．Ｚ」への選局要求であり、放送受信・再生部１２０が選局中のチャンネル「Ｃｈ．Ｘ」への選局要求でないため（Ｓ１８２９：ＮＯ）、Ｓ１８３０へ進む。
【０１４９】
Ｓ１８３０では、基準値算出部１１２０から放送受信・再生部１２０が出力する「番組Ａ」に関する基準値算出時間を取得する。ここで、基準値算出時間は、ユーザが「番組Ａ」を視聴していた時間、即ち、「Ｔｖｅ１−Ｔｖｓ１」となる。
【０１５０】
次に、取得した基準値算出時間とＳ１８２１で算出した視聴時間を比較する（Ｓ１８３１）。ここで、「Ｔｖｅ２−Ｔｖｅ１」は、「Ｔｖｅ１−Ｔｖｓ１」以上であるため（Ｓ１８３１：ＹＥＳ）、Ｓ１８２３へ進む。
【０１５１】
Ｓ１８２３では、放送受信・再生部１２０に対して選局チャンネル「Ｃｈ．Ｚ」を出力
する。この際、選局時刻として時刻「Ｔｖｅ２」を、選局チャンネル「Ｃｈ．Ｚ」とともに記憶する。
【０１５２】
次に、出力制御部９００に対して、放送受信・再生部１２０からの映像信号および音声信号を出力するための出力切替要求を出力する（Ｓ１８２４）。この際、出力元情報として「放送受信・再生部１２０」を記憶する。
【０１５３】
そして、Ｓ１８２１で算出した視聴時間と「Ｔｌ」とを比較する（Ｓ１８２５）。ここで、算出された視聴時間は「Ｔｖｅ２−Ｔｖｅ１」であり、この値は前述の通り「Ｔｌ」以上である。そのため、基準値算出部１１２０に対して放送受信・再生部１２０’が出力する「番組Ｂ」の基準値算出終了要求を出力し、録画再生制御部４２０に対して放送受信・再生部１２０’が出力する「番組Ｂ」の録画要求を出力する（Ｓ１８２７）。
【０１５４】
次に、基準値算出部１１２０に対して放送受信・再生部１２０が出力する「番組Ｃ」の基準値算出要求を出力する（Ｓ１８２８）。
【０１５５】
そして、録画に用いられている放送受信・再生部に対して選局チャンネルを出力したか否かを確認する（Ｓ１８１３）。ここでは、録画を行っている放送受信・再生部１２０に対して選局チャンネルを出力するため（Ｓ１８１３：ＹＥＳ）、Ｓ１８１４へ進む。
【０１５６】
Ｓ１８１４では、録画再生制御部４２０に対して、選局チャンネルを出力した放送受信・再生部１２０が出力する「番組Ａ」の録画中止要求を出力し（Ｓ１８１４）、処理を終了する。
【０１５７】
なお、放送受信・再生部１２０が選局中のチャンネル「Ｃｈ．Ｘ」を選択した場合には（Ｓ１８２９：ＹＥＳ）、Ｓ１８２４へ進む。
【０１５８】
なお、Ｓ１８２１で算出した視聴時間が基準値算出時間より短かった場合には（Ｓ１８３１：ＮＯ）、放送受信・再生部１２０’に対して選局チャンネル「Ｃｈ．Ｚ」を出力する（Ｓ１８３２）。この際、選局時刻として時刻「Ｔｖｅ２」を、選局チャンネル「Ｃｈ．Ｚ」とともに記憶する。そして、出力制御部９００に対して放送受信・再生部１２０’からの映像信号および音声信号を出力するための出力切替要求を出力する（Ｓ１８３３）。この際、出力元情報として「放送受信・再生部１２０’」を記憶する。次に、基準値算出部１１２０に対して放送受信・再生部１２０’が出力する「番組Ｃ」の基準値算出要求を出力する（Ｓ１８３４）。
【０１５９】
なお、視聴時間が０より長く、「Ｔｌ」より短い場合には、「番組Ｂ」の視聴はザッピングによる可能性が高い。そのため、そのような場合には、基準値算出部１１２０に対して、放送受信・再生部１２０’が出力する放送番組の基準値、即ち、「番組Ｂ」視聴中に算出された基準値をリセットするための基準値リセット要求を出力する（Ｓ１８２６）。
【０１６０】
次に、図１７中の（ｆ）の操作が行われた場合の動作について説明する。なお、「番組Ｃ」の視聴時間「Ｔｖｅ３−Ｔｖｅ２」の方が「番組Ｂ」の視聴時間「Ｔｖｅ２−Ｔｖｅ１」より短いものとする。
【０１６１】
ユーザインタフェース部２００からチャンネル「Ｃｈ．Ｐ」への選局要求を受信すると、選局制御部３２０は、録画再生制御部４２０から録画再生状態を取得する（Ｓ１８０１）。
【０１６２】
次に、取得した録画再生状態から、放送受信・再生部１２０または放送受信・再生部１
２０’が出力する放送番組を録画しながら再生しているか否かを確認する（Ｓ１８０２、Ｓ１８０３）。時刻「Ｔｖｅ３」では、放送受信・再生部１２０’が出力する「番組Ｂ」を録画しているものの、再生は行っていないため（Ｓ１８０２：ＮＯ、Ｓ１８０３：ＮＯ）、Ｓ１８０４へ進む。
【０１６３】
Ｓ１８０４では、録画再生状態と出力元情報から放送受信・再生部１２０が出力する放送番組を視聴しているか否か確認する。時刻「Ｔｖｅ３」では、放送受信・再生部１２０が出力する「番組Ｃ」を視聴しているため（Ｓ１８０４：ＹＥＳ）、Ｓ１８０５へ進む。
【０１６４】
Ｓ１８０５では、録画再生状態、出力元情報、選局時刻、現在時刻「Ｔｖｅ３」、番組情報から放送受信・再生部１２０が出力する放送番組の視聴時間「Ｔｖｅ３−Ｔｖｅ２」を算出する。
【０１６５】
次に、録画再生状態から、放送受信・再生部１２０’が出力する放送番組を録画中か否か確認する（Ｓ１８０６）。この時点で、放送受信・再生部１２０’が出力する「番組Ｂ」を録画しているため（Ｓ１８０６：ＹＥＳ）、Ｓ１８１５へ進む。
【０１６６】
Ｓ１８１５では、選局要求が、放送受信・再生部１２０’が選局中のチャンネル（第２チャンネル）への選局要求か否かを確認する。ここで、選局要求はチャンネル「Ｃｈ．Ｐ」への選局要求であり、放送受信・再生部１２０が選局中のチャンネル「Ｃｈ．Ｚ」への選局要求ではないため（Ｓ１８１５：ＮＯ）、Ｓ１８１６へ進む。
【０１６７】
Ｓ１８１６では、基準値算出部１１２０から放送受信・再生部１２０’が出力する「番組Ｂ」に関する基準値算出時間を取得する。ここで、基準値算出時間は、ユーザが「番組Ｂ」を視聴していた時間、即ち、「Ｔｖｅ２−Ｔｖｅ１」となる。
【０１６８】
次に、取得した基準値算出時間とＳ１８０５で算出した視聴時間を比較する（Ｓ１８１７）。ここで、「Ｔｖｅ３−Ｔｖｅ２」の方が、「Ｔｖｅ２−Ｔｖｅ１」より短いため（Ｓ１８１７：ＮＯ）、Ｓ１８１８へ進む。
【０１６９】
Ｓ１８１８では、放送受信・再生部１２０に対して選局チャンネル「Ｃｈ．Ｐ」を出力する。この際、選局時刻として時刻「Ｔｖｅ３」を、選局チャンネル「Ｃｈ．Ｐ」とともに記憶する。
【０１７０】
次に、出力制御部９００に対して、放送受信・再生部１２０からの映像信号および音声信号を出力するための出力切替要求を出力する（Ｓ１８１９）。この際、出力元情報として「放送受信・再生部１２０」を記憶する。
【０１７１】
そして、基準値算出部１１２０に対して放送受信・再生部１２０が出力する「番組Ｄ」の基準値算出要求を出力する（Ｓ１８２０）。
【０１７２】
次に、録画に用いられている放送受信・再生部に対して選局チャンネルを出力したか否かを確認する（Ｓ１８１３）。ここでは、録画を行っていない放送受信・再生部１２０に対して選局チャンネルを出力するため、Ｓ１８１３のＮＯに該当し、処理を終了する。
【０１７３】
なお、放送受信・再生部１２０’が選局中のチャンネル「Ｃｈ．Ｙ」を選択した場合には（Ｓ１８１５：ＹＥＳ）、Ｓ１８０８へ進む。
【０１７４】
なお、Ｓ１８０５で算出した視聴時間が基準値算出時間以上であった場合には（Ｓ１８１７：ＹＥＳ）、Ｓ１８０７へ進む。
【０１７５】
このように、選局制御部３２０では、ユーザが長時間視聴していた放送番組に対してのみ基準値が算出される。また、ユーザが長時間視聴していた放送番組のみが中断後に録画される。なお、選局制御部３２０の動作は前述の構成に限らず、選局の前に選局してもよいか否かをユーザに確認するように構成しても良いし、後に視聴した放送番組の基準値および盛り上がり度を優先して算出するように構成しても良い。
【０１７６】
以下、ユーザインタフェース部２００から再生要求を受信した際の録画再生制御部４２０の動作について説明する。図２５は、ユーザインタフェース部２００から再生要求を受信した際の録画再生制御部４２０の動作を表すフローチャートである。なお、図中で視聴時間と比較される値「Ｔｌ」は、図１８と同様に、ユーザの選局操作がチャンネルの切り替えを小刻みに行っているか否か、即ち、チャンネルの切り替えがザッピングによるものか否かを判定するための閾値である。本実施例では、当該閾値は予め録画再生装置１内で定めてあるものとするが、当該閾値はユーザよって設定・変更可能であってもよい。
【０１７７】
図１７中の（ｃ）の操作が行われた場合の動作について説明する。なお、時刻「Ｔｖｅ１」から時刻「Ｔｒｓ１」までの時間は「Ｔｌ」より長いものとする。
【０１７８】
ユーザインタフェース部２００から「番組Ａ」の再生要求を受信すると、録画再生制御部４２０は、放送番組記録部６２０に対して当該再生要求に応じた「番組Ａ」の録画番組出力要求を出力する（Ｓ１９０１）。
【０１７９】
次に、出力制御部９００に対して、放送番組記録部６２０が出力する映像信号および音声信号を出力するための出力切替要求を出力する（Ｓ１９０２）。
【０１８０】
そして、選局制御部３２０から、出力元情報と当該放送番組の視聴時間を取得する（Ｓ１９０３）。ここで、出力元情報は「放送受信・再生部１２０’」、視聴時間は「Ｔｒｓ１−Ｔｖｅ１」である。
【０１８１】
次に、取得した視聴時間と「Ｔｌ」とを比較する（Ｓ１９０４）。ここで、視聴時間「Ｔｒｓ１−Ｔｖｅ１」は「Ｔｌ」以上であるため、基準値算出部１１２０に対してＳ１９０３で取得された出力元情報に対応する放送番組の基準値算出終了要求を出力する（Ｓ１９０６）。ここでは、放送受信・再生部１２０’が出力する「番組Ｂ」の基準値算出終了要求が出力される。
【０１８２】
そして、放送番組記録部６２０に対してＳ１９０３で取得された出力元情報に対応する放送番組の録画開始要求を出力する（Ｓ１９０７）。ここでは、放送受信・再生部１２０’が出力する「番組Ｂ」の録画開始要求が出力される。
【０１８３】
次に、盛り上がり度算出部７００に対してＳ１９０３で取得された出力元情報に対応する放送番組の盛り上がり度算出要求を出力し（Ｓ１９０８）、処理を終了する。ここでは、放送受信・再生部１２０’が出力する「番組Ｂ」の盛り上がり度算出要求が出力され、処理が終了される。
【０１８４】
なお、視聴時間が０の場合には、Ｓ１９０４後に処理を終了する。視聴時間が０より長く、「Ｔｌ」より短い場合は、「番組Ｂ」の視聴はザッピングによる可能性が高い。そのため、そのような場合には、基準値算出部１１２０に対して、上記出力元情報に対応する放送番組の視聴中に算出された基準値をリセットするための基準値リセット要求を出力する（Ｓ１９０５）。具体的には、放送受信・再生部１２０’が出力する放送番組の基準値、即ち、「番組Ｂ」の視聴中に算出された基準値をリセットするための基準値リセット要
求が出力される。
【０１８５】
図２６Ａ，図２６Ｂは、それぞれ、「番組Ａ」、「番組Ｅ」の放送開始から終了までの音量レベルの変化を、横軸を時刻、縦軸を音量レベルとして表したものである。また、視聴期間、録画期間についても併せて表示する。図中、黒く塗りつぶした部分は放送番組の視聴期間、斜線部は放送番組の録画期間、破線で囲まれた部分は、視聴も録画もしていない期間を表す。
【０１８６】
図２６Ａは、ユーザが「番組Ａ」を時刻「Ｔｖｓ１」から時刻「Ｔｖｅ１」まで視聴した後、チャンネル「Ｃｈ．Ｘ」からチャンネル「Ｃｈ．Ｙ」に切り替え、「番組Ｂ」を時刻「Ｔｃｅ２」まで視聴した場合の例である。なお、時刻「Ｔｖｓ１」から時刻「Ｔｖｅ１」までの時間は、「Ｔｌ」より長いものとする。
【０１８７】
図２６Ａの例では、「番組Ａ」の音量レベルは、Ｌ００３のように変化している。「番組Ａ」の視聴期間における音量レベルの最大値は、時刻「Ｔｓｔ１」での値「Ｌｓｔ１」であり、視聴中断後（録画期間）における「番組Ａ」の音量レベルの最大値は、時刻「Ｔｐ１」での値「Ｌｐ１」である。値「Ｌｐ１」は値「Ｌｓｔ１」より大きい。
【０１８８】
図２６Ｂは、ユーザが「番組Ｅ」を時刻「Ｔｖｓ３」から時刻「Ｔｖｅ３」まで視聴した後、チャンネル「Ｃｈ．Ｘ」からチャンネル「Ｃｈ．Ｙ」に切り替え、「番組Ｆ」を時刻「Ｔｃｅ４」まで視聴した場合の例である。なお、時刻「Ｔｖｓ３」から時刻「Ｔｖｅ３」までの時間は、「Ｔｌ」より長いものとする。
【０１８９】
図２６Ｂの例では、「番組Ｅ」の音量レベルは、Ｌ００４のように変化している。「番組Ｅ」の視聴期間における音量レベルの最大値は、時刻「Ｔｓｔ３」での値「Ｌｓｔ３」であり、視聴中断後（録画期間）における「番組Ｅ」の音量レベルの最大値は、時刻「Ｔｐ３」での値「Ｌｐ３」である。値「Ｌｐ３」は値「Ｌｓｔ３」より小さい。
【０１９０】
図２７，２８は、選局制御部３２０から基準値算出要求を受信した際の基準値算出部１１２０の動作を表すフローチャートである。以下、図２６Ａの場合について基準値算出処理を説明する。
【０１９１】
選局制御部３２０から基準値算出要求を受信すると、基準値算出部１１２０は、基準値算出要求と要求を受信した時刻に基づいて、番組情報管理部５２０から基準値算出の対象となる放送番組（視聴中の放送番組）の番組情報を取得する（Ｓ２１０１）。図２６Ａの例では、選局チャンネルが「Ｃｈ．Ｘ」、要求を受信した時刻が「Ｔｖｓ１」であるため、図４のＴ００１の番組情報を取得する。
【０１９２】
次に、音量レベルの最大値（最大音量レベル）、基準値算出の処理時間（基準値算出時間）を初期化する（Ｓ２１０２）。具体的には、最大音量レベル、基準値算出時間を０とする。その後、当該放送番組の終了までＳ２１０４からＳ２１０９までの処理を繰り返す（Ｓ２１０３）。
【０１９３】
まず、選局制御部３２０から他の基準値算出要求を受信したか否か確認する（Ｓ２１０４）。図２６Ａの例では、時刻「Ｔｖｅ１」までは選局を行わず、他の基準値算出要求を受信しないため（Ｓ２１０４：ＮＯ）、Ｓ２１０５へ進む。
【０１９４】
Ｓ２１０５では、選局制御部３２０から基準値リセット要求を受信した否かを確認する。ここで、視聴時間は「Ｔｌ」より長い、即ち、基準値リセット要求は受信しないため（Ｓ２１０５：ＮＯ）、Ｓ２１０６へ進む。
【０１９５】
Ｓ２１０６では、基準値算出要求に応じて、放送受信・再生部１２０または放送受信・再生部１２０’が出力する音声信号から音量レベルを取得する（Ｓ２１０６）。ここでは、放送受信・再生部１２０から出力される放送番組の基準値を算出するため、放送受信・再生部１２０が出力する音声信号から音量レベルを取得する。
【０１９６】
次に、取得した音量レベルが最大音量レベルより大きいか否かを判定する（Ｓ２１０７）。取得した音量レベルが最大音量レベルより大きい場合には（Ｓ２１０７：ＹＥＳ）、当該取得した音量レベルを最大音量レベルとする（Ｓ２１０８）。
【０１９７】
そして、Ｓ２１０３に戻って前述の処理を繰り返す（Ｓ２１０９）。それにより、基準値算出処理を実行中の音量レベルの最大値が取得される。図２６Ａの例では、時刻「Ｔｖｓ１」から時刻「Ｔｓｔ１」の間はＳ２１０７のＹＥＳに該当し、それ以降はＳ２１０７のＮＯに該当する。そのため、最大音量レベルは時刻「Ｔｓｔ１」での音量レベル「Ｌｓｔ１」となる。そして、時刻「Ｔｖｅ１」に、選局制御部３２０が他の基準値算出要求を出力するため、Ｓ２１０４のＹＥＳに該当し、Ｓ２１０３からＳ２１０９の繰り返し処理を抜け、Ｓ２１１０へ進む。
【０１９８】
Ｓ２１１０では、基準値算出時間を取得する。
【０１９９】
次に、取得した最大音量レベルが、当該放送番組について記憶している基準値（過去に当該放送番組について算出された基準値）より大きいか否かを判定する（Ｓ２１１１）。取得した最大音量レベルの方が大きい場合には（Ｓ２１１１：ＹＥＳ）、最大音量レベルを当該放送番組の基準値として記憶する（Ｓ２１１２）。
【０２００】
そして、Ｓ２１１０で取得した基準値算出時間を、過去に記憶された当該放送番組の基準値算出時間に加算する（Ｓ２１１３）。図２６Ａの例では、過去に「番組Ａ」について基準値の算出を行っていないため（基準値算出時間は過去に取得・記憶されていないため、基準値として「Ｌｓｔ１」が、基準値算出時間として「Ｔｖｅ１−Ｔｖｓ１」が記憶される。
【０２０１】
一方、図２６Ｂの場合に基準値検出処理を行った場合は、「番組Ｅ」の基準値は「Ｌｓｔ３」、基準値算出時間は「Ｔｖｅ３−Ｔｖｓ３」となる。
【０２０２】
なお、選局制御部３２０から基準値リセット要求を受信した場合は（Ｓ２１０５：ＹＥＳ）、基準値を更新せずに処理を終了する。
【０２０３】
このように、本実施例では、ユーザがチャンネルを切り替えながら或る放送番組を断続的に視聴していた場合でも、当該放送番組の全ての視聴期間における音声信号に基づいて基準値が算出される。また、当該放送番組の断続的な視聴がザッピングによるものであった場合は、ユーザは当該放送番組の内容を把握できていないと考えられるため、そのような視聴期間は基準値の算出から除外される。
【０２０４】
図２９は、録画再生制御部４２０から自動削除判定要求を受信した際の自動削除判定部８２０の動作を表すフローチャートである。図２６Ａ，図２６Ｂの場合について自動削除判定処理を説明する。
【０２０５】
録画再生制御部４２０から自動削除判定要求を受信すると、自動削除判定部８２０は基準値算出部１１２０から対象となる放送番組の基準値を取得する（Ｓ２２０１）。
【０２０６】
次に、盛り上がり度算出部７００から対象となる放送番組の盛り上がり度を取得し（Ｓ２２０２）、盛り上がり度が基準値より大きいか否かを確認する（Ｓ２２０３）。図２６Ａの場合に、基準値は「Ｌｓｔ１」、盛り上がり度は「Ｌｐ１」であり、盛り上がり度が基準値より大きいため（Ｓ２２０３：ＹＥＳ）、そのまま自動削除判定処理を終了する。一方、図２６Ｂの場合に、基準値は「Ｌｓｔ３」、盛り上がり度は「Ｌｐ３」であり、盛り上がり度は基準値以下であるため（Ｓ２２０３：ＮＯ）、放送番組記録部６２０に対して「番組Ｅ」の削除要求を出力する（Ｓ２２０４）。
【０２０７】
このように、本実施例では、ユーザが放送番組の視聴を中断した後に、当該放送番組を自動的に録画を開始する。そして、録画された当該放送番組が視聴中よりも盛り上がらなかった場合に、当該放送番組を削除の対象とする。これにより、ユーザが期待するほど盛り上がりを見せなかった放送番組を手動で削除する煩わしさを解消することができる。また、自動的に録画した複数の放送番組のうち、盛り上がりを見せた放送番組は保存されるため、ユーザが盛り上がりを見せた放送番組を見逃す可能性を減少させることができる。
【０２０８】
なお、本実施例では録画期間における音量レベルの最大値が基準値算出期間における値以下の放送番組を削除の対象としたが、録画期間における音量レベルの平均値が基準値算出期間における値以下の放送番組を削除の対象としてもよい。録画期間における視聴率の最大値や平均値が基準値算出期間における値以下の放送番組を削除の対象としてもよい。また、本実施例では基準値の初期値を０としたが、初期値は予めユーザが設定してもよい。
【０２０９】
また、本実施例では基準値算出期間を、ユーザが放送番組の視聴を開始してから当該放送番組の視聴を中断するまでの期間としたが、ユーザが放送番組の視聴を中断した時刻から所定時間前までの期間を基準値算出期間としてもよい。
【０２１０】
また、本実施例では、ユーザが選局を行ったタイミングで基準値算出要求や盛り上がり度算出要求を出力するものとしたが、基準値算出要求や盛り上がり度算出要求を出力するタイミングはこれに限らない。例えば、装置内で放送番組の視聴が予約されている場合には、予約された放送番組に自動的に選局されたタイミングで基準値算出要求や盛り上がり度算出要求を出力してもよい。また、電源をオフにした場合に盛り上がり度算出要求を出力してもよい。
【０２１１】
以上述べたように、本実施形態に係る録画再生装置によれば、録画されている放送番組を自動的に削除することができる。更に、盛り上がりを見せた放送番組を削除され難くすることができる。
【符号の説明】
【０２１２】
１  録画再生装置
１１，１１１，１１２  ＣＰＵ
１２，１２’  チューナ
１３，１３’  デコーダ
１４  赤外線受光部
１５  メモリ
１６  ＨＤＤ
１７，１７２  映像音声出力回路
１８  内部バス
１９  ネットワークインタフェース
１００，１２０，１２０’  放送受信・再生部
２００  ユーザインタフェース部
３００，３２０  選局制御部
４００，４２０  録画再生制御部
５００，５２０  番組情報管理部
６００，６２０  放送番組記録部
７００，７１０  盛り上がり度算出部
８００，８１０，８２０  自動削除判定部
９００  出力制御部
１０１０  視聴率受信部
１１２０  基準値算出部
【図１】
2010187206.tif 000003
【図２】
2010187206.tif 000004
【図３】
2010187206.tif 000005
【図４】
2010187206.tif 000006
【図５】
2010187206.tif 000007
【図６】
2010187206.tif 000008
【図７】
2010187206.tif 000009
【図８】
2010187206.tif 000010
【図９】
2010187206.tif 000011
【図１０】
2010187206.tif 000012
【図１１】
2010187206.tif 000013
【図１２】
2010187206.tif 000014
【図１３】
2010187206.tif 000015
【図１４】
2010187206.tif 000016
【図１５】
2010187206.tif 000017
【図１６】
2010187206.tif 000018
【図１７】
2010187206.tif 000019
【図１８】
2010187206.tif 000020
【図１９】
2010187206.tif 000021
【図２０】
2010187206.tif 000022
【図２１】
2010187206.tif 000023
【図２２】
2010187206.tif 000024
【図２３】
2010187206.tif 000025
【図２４】
2010187206.tif 000026
【図２５】
2010187206.tif 000027
【図２６】
2010187206.tif 000028
【図２７】
2010187206.tif 000029
【図２８】
2010187206.tif 000030
【図２９】
2010187206.tif 000031